(57)【要約】【課題】本発明は、歯科用印象材を塗布するとき利用可能な歯科用印象材ノズルチップに関する。【解決手段】本発明の一側面に係る歯科用印象材ノズルチップは、印象材導入部と、前記印象材導入部の一端部と連結される印象材吐出部と、を含み、前記印象材吐出部は、前記印象材導入部が連結される反対側の末端に拡張型開口が形成され、前記印象材吐出部の下面は、前記拡張型開口が形成される部分に段差を有するように形成された開放構造を含む。【選択図】図１
2019136496.tif 000002
【特許請求の範囲】
【請求項１】
印象材導入部と、
前記印象材導入部と連結される印象材吐出部と、
を含み、
前記印象材吐出部は、前記印象材導入部が連結される反対側の末端に拡張型開口を有し、
前記拡張型開口の末端は、幅が高さよりも大きく、
前記印象材吐出部は、上面、下面、及び前記上面と前記下面を連結する両側面を含み、前記印象材吐出部の下面は、前記拡張型開口から前記印象材導入部の方向に少なくとも一部が切断して開放され、
前記印象材吐出部の下面の切断面の形状は、前記印象材導入部に向かって凹むようにラウンドされたものである、歯科用印象材ノズルチップ。
【請求項２】
前記歯科用印象材ノズルチップの幅は、歯の幅に対応するサイズに形成され、歯上で一回の吐出で少なくとも歯の上面の幅が全て覆われるように印象材が吐出される、請求項１に記載の歯科用印象材ノズルチップ。
【請求項３】
前記拡張型開口の末端の幅は５ｍｍ〜１３ｍｍであり、前記拡張型開口の末端の高さは４ｍｍ〜５．５ｍｍである、請求項１に記載の歯科用印象材ノズルチップ。
【請求項４】
前記歯科用印象材ノズルチップはテーパされた形態を含む、請求項１に記載の歯科用印象材ノズルチップ。
【請求項５】
前記印象材吐出部の下面は、前記印象材吐出部の仮想の直線の終わり線から１ｍｍ〜２．５ｍｍだけ切断して開放されたものである、請求項１に記載の歯科用印象材ノズルチップ。
【請求項６】
前記拡張型開口の断面において、前記印象材吐出部の上面は直線区間を含むものであり、
前記印象材吐出部は、前記印象材導入部を延長して得られる仮想の線から鋭角をなすように曲がって形成されたものである、請求項１に記載の歯科用印象材ノズルチップ。
【請求項７】
前記歯科用ノズルチップは、印象材ミキシングチップと結合型又は一体型である、請求項１に記載の歯科用印象材ノズルチップ。
【請求項８】
請求項１に記載の歯科用印象材ノズルチップと、
ノズルが含まれた歯科用印象材ミキシングチップと、
を含む、歯科用印象材の塗布装置。
【請求項９】
請求項１に記載の歯科用印象材ノズルチップを用いて歯に印象材を塗布する、歯科用印象材の塗布方法。
【請求項１０】
印象材導入部と、
前記印象材導入部と連結される印象材吐出部と、
を含み、
前記印象材吐出部は、前記印象材導入部が連結される反対側の末端に拡張型開口が形成され、
前記印象材吐出部の下面は、前記拡張型開口が形成される部分に段差を有するように形成された開放構造を含む、歯科用印象材ノズルチップ。
【請求項１１】
前記印象材吐出部の下面は、前記印象材吐出部の上面に比べて前記拡張型開口から前記印象材導入部の方向に少なくとも一部が切断して開放されたものである、請求項１０に記載の歯科用印象材ノズルチップ。
【請求項１２】
前記段差を有するように形成された下面は、前記下面の中央を基準にして中央部は低い段を形成し、両側部は高い段を形成する、請求項１０に記載の歯科用印象材ノズルチップ。
【請求項１３】
前記段差を有するように形成された下面の中央部は直線区間を含む、請求項１０に記載の歯科用印象材ノズルチップ。
【請求項１４】
前記印象材吐出部は、上面、下面、及び前記上面と前記下面を連結する両側面を含み、左右の幅が高さよりも長い構造である、請求項１０に記載の歯科用印象材ノズルチップ。
【請求項１５】
前記拡張型開口の幅は、歯の幅に対応するサイズに形成され、歯上で一回の吐出で少なくとも歯の上面の幅が全て覆われるように印象材が吐出される、請求項１０に記載の歯科用印象材ノズルチップ。
【請求項１６】
前記拡張型開口の幅は５ｍｍ〜１３ｍｍであり、前記拡張型開口の高さは４ｍｍ〜５．５ｍｍである、請求項１０に記載の歯科用印象材ノズルチップ。
【請求項１７】
前記印象材吐出部の下面の高い段と低い段との間の段差は、１ｍｍ〜２．５ｍｍである、請求項１０に記載の歯科用印象材ノズルチップ。
【請求項１８】
前記印象材吐出部は、中央を基準にして対称をなす拡張型構造であり、
前記拡張型開口の断面において、前記印象材吐出部の上面は直線区間を含み、
前記印象材吐出部は、前記印象材導入部を延長して得られる仮想の線から鋭角をなすように曲がって形成されたものである、請求項１０に記載の歯科用印象材ノズルチップ。
【請求項１９】
請求項１０に記載の歯科用印象材ノズルチップと、
ノズルが含まれた歯科用印象材ミキシングチップと、
を含む、歯科用印象材の塗布装置。
【請求項２０】
請求項１０に記載の歯科用印象材ノズルチップを用いて歯に印象材を塗布する、歯科用印象材の塗布方法。
【発明の詳細な説明】
【技術分野】
【０００１】
本発明は、歯科用印象材を塗布するときに利用可能な歯科用印象材ノズルチップに関する。
【背景技術】
【０００２】
一般的に、印象材（ｉｍｐｒｅｓｓｉｏｎ  ｍａｔｅｒｉａｌｓ）は、歯を治療を行うために歯列及び支台の形をとる材料であって、弾性印象材としてアルギン酸コロイド、チオコール、ラバーベース、シリコンラバーベースなどがあり、非弾性印象材としてモデリングコンパウンド、亜鉛華ユージノールなどがあり、印象材を必要とする目的に応じて様々に材料を選択して使用している。
【０００３】
印象材は、一般的に硬化剤と共に一対のカートリッジにそれぞれ格納された状態でミキシングチップによって混合されながら噴出される。
【０００４】
ここで、ミキシングチップは印象材を噴出するノズルを含み、本発明は、このような歯科用印象材が噴出されるノズルに装着して利用可能なノズルチップに関する。
【０００５】
該当の分野において、ミキシングチップについては一部の技術で印象材と硬化剤などを効率よく混合する装置などが公開されている。
【０００６】
しかし、歯に印象材を効率よく塗布する方法とそれを具現するためのノズルチップ及びそのノズルチップを含む塗布装置について研究された技術がない実状である。適正量の印象材を効率よく歯に塗布することで材料の浪費を少なくし、歯の模型と誤差が大きくないように、歯型をとることのできる印象材噴出用ノズルチップについては知られていない。したがって、効果的な印象材塗布装置及びそれを用いた塗布方法などに関する研究が求められる実状であった。
【０００７】
関連分野の先行技術として、特許文献１が挙げられる。
【先行技術文献】
【特許文献】
【０００８】
【特許文献１】韓国公開特許第１０−２０１５−００１８４２１号公報
【発明の概要】
【発明が解決しようとする課題】
【０００９】
本発明の目的は、上述した問題点を解決し、簡単な道具の導入だけで印象材の適切な量を歯の表面に均一に噴出して塗布可能にし、材料の無駄遣いを減少しながら正確に歯型をとることのできる歯科用ノズルチップを提供することにある。特に、咬合点を正確に探すための過程で用いられる咬合採得材（ｂｉｔｅ  ｒｅｇｉｓｔｒａｔｉｏｎ  ｍａｔｅｒｉａｌｓ）を均一かつ相対的に薄く塗布するためのノズルチップを提供することにある。
【００１０】
特に、印象材を塗布する過程で圧力差により固まって噴出される印象材を選び、適切な厚さに伸ばして吐出及び塗布することができ、配列された歯上で一方向にノズルが移動する過程で便利に使用可能にする新概念のノズルチップを提供することにある。
【００１１】
しかし、本発明が解決しようとする課題は、以上で言及したものなどにより制限されることなく、言及されない更なる課題は、下記の記載から該当分野の当業者にとって明確に理解できるのである。
【課題を解決するための手段】
【００１２】
本発明の一側面に係る歯科用印象材ノズルチップは、印象材導入部と、前記印象材導入部と連結される印象材吐出部とを含み、前記印象材吐出部は、前記印象材導入部が連結される反対側の末端に拡張型開口を有する。
【００１３】
本発明の一実施形態によれば、前記拡張型開口の末端は、幅が高さよりも大きくてもよい。
【００１４】
本発明の一実施形態によれば、前記拡張型開口の末端の幅は５ｍｍ〜１３ｍｍであり得る。
【００１５】
本発明の一実施形態によれば、前記拡張型開口の末端の高さは、４ｍｍ〜５．５ｍｍであり得る。
【００１６】
本発明の一実施形態によれば、前記印象材吐出部の下面は、前記拡張型開口から前記印象材導入部の方向に少なくとも一部が切断して開放され得る。
【００１７】
本発明の一実施形態によれば、前記印象材吐出部の下面は、前記印象材吐出部の仮想の直線の終わり線から１ｍｍ〜２．５ｍｍだけ切断して開放され得る。
【００１８】
本発明の一実施形態によれば、前記印象材吐出部の下面の切断面の形状は、前記印象材導入部に向かって凹むようにラウンドされたものであり得る。
【００１９】
本発明の一実施形態によれば、前記拡張型開口の断面において、前記印象材吐出部の上面は直線区間を含み得る。
【００２０】
本発明の一実施形態によれば、前記印象材吐出部は、前記印象材導入部を延長して得られる仮想の線から鋭角をなすように曲がって形成され得る。
【００２１】
本発明の一実施形態によれば、前記歯科用ノズルチップは、透明な素材を含み得る。
【００２２】
本発明の一実施形態によれば、前記歯科用ノズルチップは印象材ミキシングチップと結合型又は一体型であり得る。
【００２３】
本発明の異なる一側面に係る歯科用印象材の塗布装置は、本発明の一実施形態に係る歯科用印象材ノズルチップと、ノズルが含まれた歯科用印象材ミキシングチップとを含む。
【００２４】
本発明の更なる一側面に係る歯科用印象材の塗布方法は、本発明の一実施形態に係る歯科用印象材ノズルチップを用いて歯に印象材を塗布し得る。
【００２５】
本発明の一側面に係る歯科用印象材ノズルチップは、印象材導入部と、前記印象材導入部と連結される印象材吐出部とを含み、前記印象材吐出部は、前記印象材導入部が連結される反対側の末端に拡張型開口が形成され、前記印象材吐出部の下面は、前記拡張型開口が形成される部分に段差を有するように形成された開放構造を含む。
【００２６】
本発明の一実施形態によれば、前記印象材吐出部の下面は、前記印象材吐出部の上面に比べて前記拡張型開口から前記印象材導入部の方向に少なくとも一部が切断開放され得る。
【００２７】
本発明の一実施形態によれば、前記段差を有するように形成された下面は、前記下面の中央を基準にして中央部は低い段を形成し、両側部は高い段を形成し得る。
【００２８】
本発明の一実施形態によれば、前記段差を有するように形成された下面の中央部は直線区間を含み得る。
【００２９】
本発明の一実施形態によれば、前記印象材吐出部は、上面、下面及び前記上面と前記下面を連結する両側面を含み、左右の幅が高さよりも長い構造であり得る。
【００３０】
本発明の一実施形態によれば、前記拡張型開口の幅は歯の幅に対応するサイズに形成され、歯上で一回の吐出で少なくとも歯の上面の幅が全て覆われるように印象材が吐出され得る。
【００３１】
本発明の一実施形態によれば、前記拡張型開口の幅は、５ｍｍ〜１３ｍｍであり得る。
【００３２】
本発明の一実施形態によれば、前記拡張型開口の高さは、４ｍｍ〜５．５ｍｍであり得る。
【００３３】
本発明の一実施形態によれば、前記印象材吐出部の下面の高い段と低い段との間の段差は、１ｍｍ〜２．５ｍｍであり得る。
【００３４】
本発明の一実施形態によれば、前記印象材吐出部は、中央を基準にして対称をなす拡張型構造であり得る。
【００３５】
本発明の一実施形態によれば、前記拡張型開口の断面において、前記印象材吐出部の上面は直線区間を含み得る。
【００３６】
本発明の一実施形態によれば、前記印象材吐出部は、前記印象材導入部を延長して得られる仮想の線から鋭角をなすように曲がって形成され得る。
【００３７】
本発明の一実施形態によれば、前記歯科用ノズルチップは、透明な素材を含み得る。
【００３８】
本発明の一実施形態によれば、前記歯科用ノズルチップは、印象材ミキシングチップと結合型又は一体型であり得る。
【００３９】
本発明の異なる一側面に係る歯科用印象材の塗布装置は、本発明の一実施形態に係る歯科用印象材ノズルチップと、ノズルが含まれた歯科用印象材ミキシングチップとを含む。
【００４０】
本発明の更なる一側面に係る歯科用印象材の塗布方法は、本発明の一実施形態に係る歯科用印象材ノズルチップを用いて歯に印象材を塗布し得る。
【発明の効果】
【００４１】
本発明によれば、ノズルチップをノズルの端部に設けるだけで歯科用印象材の適切な量を歯の表面に均一に噴出して塗布することができ、材料の無駄遣いを減少しながら、歯型を正確にとることができる効果がある。
【００４２】
本発明で提供する歯科用印象材ノズルチップを利用すれば、窮極的に、患者の歯の配列状態を正確に確認し、より効果的なオーダーメード型の歯科治療が行われ、材料を削減することで治療コストが安くなる効果も期待できる。特に、咬合点を正確に探すための過程で用いられる咬合採得材を均一かつ相対的に薄く塗布するために効果が発揮される。
【００４３】
本発明の歯科用ノズルチップを用いる場合、従来の場合よりも遥かに薄くて正確に印象材を塗布できるため、歯科用の咬合体を効率よく収得できる効果がある。
【００４４】
歯科用の歯型をとるとき使用される印象材は、吐出後に若干の時間が経過すると極めて固くなってしまい、既存のチップを用いる場合、その量が増大することで不要な部分を切削するための努力やコストがかかる。しかし、本発明のノズルチップを用いる場合、その超過する量が少なく、歯の形態に合わせて最適量が噴射されることで、その過量塗布された部分に対する切削工程を必要としない効果がある。また、印象材の過剰な量が吐出されることで薄膜のバイト部位を隙間として発生する正確度の損失部分も緩和できる。
【図面の簡単な説明】
【００４５】
【図１】本発明の一実施形態に係る歯科用印象材ノズルチップの構造を概略的に示す斜視図である。
【図２】本発明の一実施形態に係る歯科用印象材ノズルチップの拡張型開口の構造が示される概略図である。
【図３】本発明の一実施形態に係る歯科用印象材ノズルチップの下面が印象材導入部の方向に一部が切断して開放された形態を示す概略図である。
【図４】本発明の一実施形態に係る歯科用印象材ノズルチップの印象材吐出部と印象材導入部との間の連結構造が示される概略図である。
【図５】本発明の一実施形態に係る歯科用印象材ノズルチップが歯科用印象材ミキシングチップと結合される構造を示す概略図である。
【図６】本発明の一実施形態に係る歯科用印象材ノズルチップの構造を概略的に示す斜視図である。
【図７】本発明の一実施形態に係る歯科用印象材ノズルチップの下面が印象材導入部の方向に一部が切断して開放された形態を示す、下面側から観測した形態を示す概略図である。
【図８】本発明の一実施形態に係る歯科用印象材ノズルチップの下面が印象材導入部の方向に一部が切断して開放された形態を示す、拡張型開口方向から観測した形態を示す概略図である。
【図９】本発明の一実施形態に係る歯科用印象材ノズルチップの印象材吐出部と印象材導入部との間の連結構造が示される概略図である。
【図１０】本発明の一実施形態に係る歯科用印象材ノズルチップが歯科用印象材ミキシングチップと結合される構造を示す概略図である。
【図１１】比較例（左側）及び実施形態（右側）を用いて歯上に印象材を吐出した形態を示す写真である。
【図１２】比較例及び実施形態の場合に吐出される印象材の量と吐出に所要する時間を測定した結果を示す写真である。
【発明を実施するための形態】
【００４６】
以下、添付する図面を参照しながら本発明の実施形態を詳細に説明する。本発明の説明において、関連する公知機能又は構成に対する具体的な説明が本発明の要旨を不要に曖昧にすると判断される場合、その詳細な説明は省略する。また、本明細書で用いられる用語は、本発明の好適な実施形態を適切に表現するために使用された用語であって、これは、ユーザ、運用者の意図、又は本発明が属する分野の慣例などによって変わり得る。したがって、本用語に対する定義は、本明細書の全般にわたった内容に基づいて下されなければならないのであろう。各図面に提示された同一の参照符号は同一の部材を示す。
【００４７】
明細書の全体において、いずれかの部分がいずれかの構成要素を「含む」とするとき、特に反対となる記載がなければ、他の構成要素を除くものではなく、他の構成要素をさらに含んでいることを意味する。
【００４８】
以下、本発明のタングステンバリア層研磨用スラリー組成物に対して実施形態及び図面を参照しながら具体的に説明する。しかし、本発明がこのような実施形態及び図面に制限されることはない。
【００４９】
図１は、本発明の一実施形態に係る歯科用印象材ノズルチップの構造を概略的に示す斜視図である。
【００５０】
本発明の一側面に係る歯科用印象材ノズルチップは、印象材導入部と、前記印象材導入部と連結される印象材吐出部とを含み、前記印象材吐出部は、前記印象材導入部が連結される反対側の末端に拡張型開口を有する。
【００５１】
一例として、本発明の印象材ノズルチップは、柱構造の印象材導入部を含み得る。一例として、前記印象材導入部の柱構造は、円柱、四角柱、五角柱、又は六角柱のような形態に形成されてもよい。
【００５２】
ここで、印象材吐出部は、前記柱構造の印象材導入部の一端部と連結形成され得る。印象材吐出部は、印象材導入部と一方の端が連結され、反対側の末端には拡張型開口を含む。
【００５３】
一例として、印象材導入部の印象材吐出部が連結される反対側の末端は、印象材ミキシングチップなどに連結されてもよい。この場合、印象材ミキシングチップなどから硬化剤などの素材と混合した印象材が印象材ノズルチップの内部に導入され得る。
【００５４】
一例として、前記印象材吐出部は、印象材導入部と連結される部分から拡張型開口に至るまで断面積が次第に増加する形態に実現し得る。
【００５５】
これによって、拡張型開口の断面積は、印象材導入部の断面積より少なくても３倍以上広い構造である。
【００５６】
図２は、本発明の一実施形態に係る歯科用印象材ノズルチップの拡張型開口の構造が示される概略図である。
【００５７】
本発明の一実施形態によれば、前記拡張型開口の断面は、前記拡張型開口の末端は幅が高さよりも大きくてもよい。
【００５８】
一例として、前記拡張型開口の断面は、横軸の長さが縦軸の長さよりも長い楕円のような形態、又は長方形のような形態に実現し得る。
【００５９】
本発明の一実施形態によれば、前記拡張型開口の末端の幅は、５ｍｍ〜１３ｍｍであってもよい。一例として、前記拡張型開口の末端の幅は、７ｍｍ〜１３ｍｍ、又は、５ｍｍ〜１０ｍｍであってもよい。前記幅は歯、特に、奥歯の幅よりも若干大きいことが好ましい。ただし、年齢に応じて歯のサイズが様々であるため、前記範囲内で適用される歯の幅に応じて好ましい範囲が決定される。
【００６０】
本発明の一実施形態によれば、前記拡張型開口の末端の高さは、４．０ｍｍ〜５．５ｍｍであってもよい。一例として、前記拡張型開口の末端の高さは、４．２ｍｍ〜５．５ｍｍ、４．０ｍｍ〜５．２ｍｍであってもよい。前記拡張型開口の末端の高さは、歯の高さを考慮したものであり、前記範囲の拡張型開口の末端の高さを有することで、印象材の吐出時に左右に印象材が流れて不要に使容量が増加することを防止できる効果がある。前記拡張型開口の上下及び左右の長さは、印象材が塗布される歯のサイズと密接な関わりがある。拡張型開口から吐出された印象材は、歯に塗布されて歯型をとるように固定されて硬化することで歯型をとる。
【００６１】
ここで、前記拡張型開口の断面の上下及び左右の最長軸の長さが前記数値範囲から離れている場合、多すぎる量又は少な過ぎる量の印象材が一回に吐出されて均質の塗布が形成されない問題がある。
【００６２】
特に、前記拡張型開口の左右の最長軸の長さは、一般的な歯の幅と同一であるか、やや大きく形成される。この場合、印象材を歯に塗布する施術者は反復的に作業することなく、一回の吐出作業だけで歯の幅に均一に印象材を塗布することができる効果がある。
【００６３】
図３は、本発明の一実施形態に係る歯科用印象材ノズルチップの下面が印象材導入部の方向に一部切断して開放された形態を示す概略図である。
【００６４】
本発明の一実施形態によれば、前記印象材吐出部の下面は、前記拡張型開口から前記印象材導入部の方向に少なくとも一部が切断して開放されたものである。
【００６５】
印象材吐出部の下面の一部が切断して開放されることで、歯上でノズルチップが位置する位置の下面側に印象材が効率よく均一に吐出される効果が期待される。
【００６６】
施術者が印象材ノズルを印象材の吐出部の上面が位置する方向側にゆっくり移動しながら印象材を吐出すれば、本発明の印象材吐出部の下面の開放された構造を介して吐出された印象材が効率よく歯の上に塗布される。下面の開放された区域を介して吐出された印象材が下面と異なって切断されていないため、相対的に延長された上面により均一に広がることで印象材の使容量を減らし、均等な印象材の塗布が可能になる。
【００６７】
本発明の一実施形態によれば、前記印象材吐出部の下面は、前記印象材吐出部の仮想の直線の終わり線から１ｍｍ〜２．５ｍｍだけ切断して開放されたものである。
【００６８】
前記切断された部分が前記印象材吐出部の仮想の直線の終わり線から１ｍｍ未満である場合、印象材の吐出が下面が位置する方向に十分行われない問題が生じ、２．５ｍｍを超過する場合は、過度に多い量の印象材が下面が位置する方向に吐出されて均一に歯上に印象材を塗布できない問題が生じる。
【００６９】
本発明の一実施形態によれば、前記印象材吐出部の下面の切断面の形状は、前記印象材導入部に向かって凹むようにラウンドされたものであってもよい。
【００７０】
これにより、歯の中心部に相対的に多い印象材が吐出され、効率よく歯型をとることができる。
【００７１】
本発明の一実施形態によれば、前記拡張型開口の断面において、前記印象材吐出部の上面は直線区間を含む。
【００７２】
前記拡張型開口の断面において、前記印象材吐出部の上面が直線区間を含むことで、拡張型開口から吐出された印象材を上方から均一に押して伸ばす役割を果たす。
【００７３】
これによって吐出された印象材がでこぼこに形成されず、平たく均等な表面積を有するように形成され、結果的に歯の形態がよく反映され、材料の浪費の少ない歯型をとることができる効果がある。
【００７４】
図４は、本発明の一実施形態に係る歯科用印象材ノズルチップの印象材吐出部と印象材導入部との間の連結構造が示される概略図である。
【００７５】
本発明の一実施形態によれば、前記印象材吐出部は、前記印象材導入部を延長して得られる仮想の線から鋭角をなすよう曲がって形成されたものである。
【００７６】
ノズルチップの印象材導入部と印象材吐出部との間の、このような曲がって連結される構造を導入することで、歯に印象材を塗布する施術者が手首を無理に曲がって口の中に入れる必要がなく、楽な姿勢で歯上に印象材を効率よく塗布できる効果がある。
【００７７】
本発明の一実施形態によれば、前記歯科用ノズルチップは、透明な素材を含み得る。
【００７８】
一例として、前記歯科用印象材ノズルチップはシリコンを含んでもよい。
【００７９】
これにより、歯に印象材を塗布する施術者が前記歯科用の印象材ノズルチップに印象材がどれ程入っているか、どれ程吐出されているかを肉眼で確認でき、吐出速度を調整しながら作業を行える効果がある。
【００８０】
図５は、本発明の一実施形態に係る歯科用印象材ノズルチップが歯科用印象材ミキシングチップと結合される構造を示す概略図である。
【００８１】
本発明の一実施形態によれば、前記歯科用ノズルチップは、印象材ミキシングチップと結合型又は一体型であり得る。
【００８２】
本発明の異なる一側面に係る歯科用印象材の塗布装置は、本発明の一実施形態に係る歯科用印象材ノズルチップと、ノズルが含まれた歯科用印象材ミキシングチップとを含む。
【００８３】
本発明の更なる一側面に係る歯科用印象材の塗布方法は、本発明の一実施形態に係る歯科用印象材ノズルチップを用いて歯に印象材を塗布したものである。
【００８４】
一方、他の一実施形態として、本発明では、吐出部の下面に段差を有するように形成された開放構造を含むよう設計された歯科用印象材ノズルチップを提供することができる。
【００８５】
図６は、本発明の一実施形態に係る歯科用印象材ノズルチップ１００の構造を概略的に示す斜視図である。
【００８６】
本発明の一側面に係る歯科用印象材ノズルチップは、印象材導入部と、前記印象材導入部と連結される印象材吐出部とを含み、前記印象材吐出部は、前記印象材導入部が連結される反対側の末端に拡張型開口が形成され、前記印象材吐出部の下面は、前記拡張型開口が形成される部分に段差を有するように形成された開放構造を含む。
【００８７】
一例として、本発明の印象材ノズルチップは、柱構造の印象材導入部を含む。一例として、前記印象材導入部の柱構造は、円柱、四角柱、五角柱、又は六角柱のような形態に形成されてもよい。
【００８８】
ここで、印象材吐出部は、前記柱構造の印象材導入部の一端部と連結形成され得る。印象材吐出部は、印象材導入部と一方の端が連結されるものであり、反対側の末端には拡張型開口を含み得る。
【００８９】
一例として、印象材導入部の印象材吐出部が連結される反対側の末端は、印象材ミキシングチップ２００などに連結され得る。この場合、印象材ミキシングチップなどから硬化剤などの素材と混合した印象材が印象材ノズルチップの内部に導入され得る。
【００９０】
一例として、前記印象材吐出部は、印象材導入部に連結される部分から開口に至るまで断面積が次第に増加する形態に実現できるが、発明でこれを「拡張型」と定義する。
【００９１】
これにより、拡張型開口の断面積は、印象材導入部の断面積より少なくても３倍以上の広い構造あり得る。
【００９２】
図７は、本発明の一実施形態に係る歯科用印象材ノズルチップの下面が印象材導入部の方向に一部が切断して開放された形態を示す、下面側から観測した形態を示す概略図である。
【００９３】
図６及び図７において、前記印象材吐出部の下面は、前記拡張型開口が形成される部分に段差を有するように形成された開放構造を含む。
【００９４】
本発明の一実施形態によれば、前記印象材吐出部の下面は、前記印象材吐出部の上面に比べて前記拡張型開口から前記印象材導入部の方向に少なくとも一部が切断して開放される。
【００９５】
本発明の一実施形態によれば、前記段差を有するように形成された下面は、前記下面の中央を基準にして中央部は低い段を形成し、両側部は高い段を形成する。
【００９６】
下面の中央部が相対的に低い段を形成することで、歯科用印象材ノズルチップが一定の方向に移動しながら印象材を吐出する過程で、下面の開放された中央部側に印象材が吐出されることを誘導する。一方、両側部は、高い段を形成することで歯の上面ではない側面の部分で不要な印象材が吐出し過ぎる現象を防止できる。
【００９７】
本発明の一実施形態によれば、前記段差を有するように形成された下面の中央部は直線区間を含み得る。
【００９８】
下面の中央部が直線区間を含むように形成されることで、印象材吐出部から移動方向の後方部に均一な厚さの印象材が広がりながら均一に歯上に層を形成し得る効果がある。
【００９９】
本発明の一実施形態によれば、前記印象材吐出部は、上面、下面、及び前記上面と前記下面を連結する両側面を含み、左右の幅が高さよりも長い構造であり得る。
【０１００】
本発明における印象材吐出部は、歯の幅と必要な印象材の塗布量に合わせて設計された構造である。左右の幅が高さよりも長い構造に形成された状態で、左右の幅が歯の幅に対応される場合、従来における円形の吐出部などに比べて印象材が平坦で均一に歯上に吐出される効果を実現できる。
【０１０１】
本発明の一実施形態によれば、前記拡張型開口の幅は、歯の幅に対応するサイズに形成され、歯上で一回の吐出で少なくとも歯の上面の幅が全て覆われるように印象材が吐出され得る。
【０１０２】
従来には、印象材吐出部が歯の幅に対応するサイズに形成されていないため、歯上に２回、３回塗布する形で印象材を吐出させることが頻繁であったが、これは時間と努力のみならず、材料の損失につながる問題があった。また、これは不均一な塗布層を形成することで巧みな枠組みを形成できない問題もあった。
【０１０３】
しかし、本発明の場合、拡張型開口の幅を歯の幅に対応するよう形成することで、一回の吐出だけでも平坦で均等な印象材の塗布層を形成することができる。
【０１０４】
本発明の一実施形態によれば、前記拡張型開口の断面は、前記拡張型開口の末端は、幅が高さよりも大きくてもよい。
【０１０５】
一例として、前記拡張型開口の断面は、横軸の長さが縦軸の長さよりも長い楕円形又は長方形に実現され得る。
【０１０６】
本発明の一実施形態によれば、前記拡張型開口の末端の幅（Ｗ）は５ｍｍ〜１３ｍｍであってもよい。一例として、前記拡張型開口の末端の幅は７ｍｍ〜１３ｍｍ、又は、５ｍｍ〜１０ｍｍであってもよい。前記幅は歯、特に、奥歯の幅よりも若干の程度大きいことが好ましい。ただし、年齢に応じて歯のサイズが様々であるため、前記範囲内で適用歯の幅に応じて好ましい範囲が決定され得る。
【０１０７】
本発明の一実施形態によれば、前記拡張型開口の末端の高さ（Ｈ）は、４．０ｍｍ〜５．５ｍｍであってもよい。一例として、前記拡張型開口の末端の高さは、４．２ｍｍ〜５．５ｍｍ、４．０ｍｍ〜５．２ｍｍであってもよい。前記拡張型開口の末端の高さは歯の高さを考慮したものであり、前記範囲の拡張型開口の末端の高さを有し、印象材の吐出時に左右に印象材が流れて不要に使容量が増加することを防止する効果がある。前記拡張型開口の上下及び左右の長さは、印象材が塗布される歯のサイズと密接な関わりがある。拡張型開口から吐出された印象材は、歯に塗布されて歯型をとるように固定されて硬化して歯型をとることができる。
【０１０８】
ここで、前記拡張型開口の断面の上下及び左右の最長軸の長さが前記数値範囲から離れている場合、多すぎる量又は少な過ぎる量の印象材が一回に吐出されて均質した塗布が形成されない問題がある。
【０１０９】
特に、前記拡張型開口の左右の最長軸の長さは、一般的な歯の幅と同一であるか大きいように形成される。この場合、印象材を歯に塗布する施術者は反復的に作業することなく、一回の吐出作業だけで歯の幅に均一に印象材を塗布することができる効果がある。
【０１１０】
本発明の一実施形態によれば、前記印象材吐出部の下面の高い段と低い段との間の段差（Ｄ）は、１ｍｍ〜２．５ｍｍであってもよい。
【０１１１】
前記高い段と低い段との間の段差は、最適な吐出量を決定する重要な要素である。ここで、本発明において、前記段差は、印象材導入部で吐出部が曲がった角度を考慮してやや短い長さ又はやや長い長さに設計され得る。一例として、前記段差は１ｍｍ〜１．５ｍｍであってもよい。他の一例として、前記段差は１ｍｍ〜２．０ｍｍ〜であってもよい。更なる一例として、前記段差は１．５ｍｍ〜２．５ｍｍであってもよい。
【０１１２】
図８は、本発明の一実施形態に係る歯科用印象材ノズルチップの下面が印象材導入部の方向に一部が切断して開放された形態を示す、拡張型開口方向から観測した形態を示す概略図である。
【０１１３】
本発明の一実施形態によれば、前記印象材吐出部の下面は、前記拡張型開口から前記印象材導入部の方向に少なくとも一部が切断して開放されたものである。
【０１１４】
印象材吐出部の下面の一部が切断して開放されることで、歯上でノズルチップが位置する位置の下面側に印象材が効率よく均一に吐出できる効果が期待される。
【０１１５】
施術者が印象材ノズルを印象材吐出部の上面が位置する方向側にゆっくり移動しながら印象材を吐出すれば、本発明の印象材吐出部の下面の開放された構造を介して吐出された印象材が歯の上に効率よく塗布される。下面の開放された区域を介して吐出された印象材が下面と異なって切断されておらず、相対的に延長した上面によって均一に広がることで、印象材の使容量を減らし、均等な印象材の塗布を可能にする。
【０１１６】
本発明の一実施形態によれば、前記印象材吐出部の下面は、前記印象材吐出部の仮想の直線の終わり線から１ｍｍ〜２．５ｍｍだけ切断して開放されたものであってもよい。
【０１１７】
前記切断された部分が前記印象材吐出部の仮想の直線の終わり線から１ｍｍ未満である場合、印象材の吐出が下面の位置する方向に十分行われない問題が生じ、２．５ｍｍを超過する場合、過度に多い量の印象材が下面が位置する方向に吐出されて均一に歯上に印象材を塗布することができない問題が生じる。
【０１１８】
本発明の一実施形態によれば、前記印象材吐出部は、中央を基準にして対称をなす拡張型構造であり得る。
【０１１９】
これによって、歯の中央を中心に左右対称的に印象材が吐出され、いずれか一方に偏ることなく、歯型を効率よくとることができる。
【０１２０】
本発明の一実施形態によれば、前記拡張型開口の断面において、前記印象材吐出部の上面は直線区間を含む。
【０１２１】
前記拡張型開口の断面において、前記印象材吐出部の上面が直線区間を含むことにより、拡張型開口から吐出された印象材を上方から均一に押して伸ばす役割を果たす。
【０１２２】
これにより、吐出された印象材がでこぼこに形成されず、平たく均等な表面積を有するように形成され、結果的に歯の形態がよく反映され、材料の浪費の少ない歯型をとることができる効果がある。
【０１２３】
図９は、本発明の一実施形態に係る歯科用印象材ノズルチップの印象材吐出部と印象材導入部との間の連結構造が示される概略図である。
【０１２４】
本発明の一実施形態によれば、前記印象材吐出部は、前記印象材導入部を延長して得られる仮想の線から鋭角をなすように曲がって形成されたものである。
【０１２５】
ノズルチップの印象材導入部と印象材吐出部との間の、このような曲がって連結される構造を導入することで、歯に印象材を塗布する施術者が手首を無理に曲がって口の中に入れる必要がなく、安らかな姿勢で歯上に印象材を効率よく塗布できる効果がある。
【０１２６】
本発明の一実施形態によれば、前記歯科用ノズルチップは透明な素材を含み得る。
【０１２７】
一例として、前記歯科用印象材ノズルチップはシリコンを含んでもよい。
【０１２８】
これにより、歯に印象材を塗布する施術者が前記歯科用印象材ノズルチップに印象材がどれ程入っているか、どれ程吐出されているかを肉眼で確認でき、吐出速度を調整しながら作業を行える効果がある。
【０１２９】
図１０は、本発明の一実施形態に係る歯科用印象材ノズルチップが歯科用印象材ミキシングチップと結合される構造を示す概略図である。
【０１３０】
本発明の一実施形態によれば、前記歯科用ノズルチップは、印象材ミキシングチップと結合型又は一体型であり得る。
【０１３１】
本発明の異なる一側面に係る歯科用印象材の塗布装置は、本発明の一実施形態に係る歯科用印象材ノズルチップと、ノズルが含まれた歯科用印象材ミキシングチップとを含む。
【０１３２】
本発明の更なる一側面に係る歯科用印象材の塗布方法は、本発明の一実施形態に係る歯科用印象材ノズルチップを用いて歯に印象材を塗布する。
【０１３３】
（実施例）
本発明の実施形態として、通用されているノズルチップ（比較例）と本発明の一実施形態に係るノズルチップ（発売予定商品名：ラバーダック、実施例）を用いて、その吐出形態及び吐出量と吐出に費やされる時間を比較した。
【０１３４】
図１１は、比較例（左側）及び実施例（右側）を用いて歯上に印象材を吐出した形態を示す写真である。
【０１３５】
左側の場合にその吐出量が多すぎ、均一ではない吐出量によってその高さがそれぞれであり、歯の側面で過量の印象材が流れていることが確認される。この場合、歯の間に印象材が挟まった状態で固まり、今後除去する過程で不便で、正確な歯型をとることができない問題が発生することが確認された。
【０１３６】
右側の場合、吐出量が適切であり、歯間に流れる印象材がほとんどなく、最適な吐出量で効率よく歯型をとることができた。
【０１３７】
図１２は、比較例及び実施例の場合に吐出される印象材の量と吐出に費やされる時間を測定した結果を示す写真である。
【０１３８】
同じ条件で、試験のために印象材を７ｃｍの歯の長さに塗布することを前提にし、同じ長さの印象材を塗布するためにかかる時間と吐出された量、表面の均質な程度を比較した。
【０１３９】
比較例の場合、肉眼で見ても吐出量が大きく、多い吐出量が吐出される過程で吐出時間も長くなることが確認された。吐出された量も６．８４ｇとして必要以上に多い量の印象材が消耗される問題があった。
【０１４０】
一方、実施例の場合、薄くて均一な吐出量を確認することができた。吐出された量が３．７７ｇに過ぎず、かんな掛けのような効果により積層された印象材の上部が極めて均質であり、印象材を塗布するためにかかる時間は比較例の場合に比べて１／３以下に短縮された効果がある。
【０１４１】
上述したように、本発明を限定した実施形態及び図面に基づいて説明したが、本発明は、上記の実施形態に限定されることなく、本発明が属する分野における通常の知識を有する者であれば、このような実施形態から様々な修正及び変形が可能である。したがって、本発明の範囲は、説明された実施形態に制限されて決定されることなく、特許請求の範囲及び特許請求の範囲と均等なものなどによって定められるものである。
【０１４２】
（付記）
（付記１）
印象材導入部と、
前記印象材導入部と連結される印象材吐出部と、
を含み、
前記印象材吐出部は、前記印象材導入部が連結される反対側の末端に拡張型開口を有し、
前記拡張型開口の末端は、幅が高さよりも大きく、
前記印象材吐出部は、上面、下面、及び前記上面と前記下面を連結する両側面を含み、前記印象材吐出部の下面は、前記拡張型開口から前記印象材導入部の方向に少なくとも一部が切断して開放され、
前記印象材吐出部の下面の切断面の形状は、前記印象材導入部に向かって凹むようにラウンドされたものである、歯科用印象材ノズルチップ。
【０１４３】
（付記２）
前記歯科用印象材ノズルチップの幅は、歯の幅に対応するサイズに形成され、歯上で一回の吐出で少なくとも歯の上面の幅が全て覆われるように印象材が吐出される、付記１に記載の歯科用印象材ノズルチップ。
【０１４４】
（付記３）
前記拡張型開口の末端の幅は５ｍｍ〜１３ｍｍであり、前記拡張型開口の末端の高さは４ｍｍ〜５．５ｍｍである、付記１に記載の歯科用印象材ノズルチップ。
【０１４５】
（付記４）
前記歯科用印象材ノズルチップはテーパされた形態を含む、付記１に記載の歯科用印象材ノズルチップ。
【０１４６】
（付記５）
前記印象材吐出部の下面は、前記印象材吐出部の仮想の直線の終わり線から１ｍｍ〜２．５ｍｍだけ切断して開放されたものである、付記１に記載の歯科用印象材ノズルチップ。
【０１４７】
（付記６）
前記拡張型開口の断面において、前記印象材吐出部の上面は直線区間を含むものであり、
前記印象材吐出部は、前記印象材導入部を延長して得られる仮想の線から鋭角をなすように曲がって形成されたものである、付記１に記載の歯科用印象材ノズルチップ。
【０１４８】
（付記７）
前記歯科用ノズルチップは、印象材ミキシングチップと結合型又は一体型である、付記１に記載の歯科用印象材ノズルチップ。
【０１４９】
（付記８）
付記１に記載の歯科用印象材ノズルチップと、
ノズルが含まれた歯科用印象材ミキシングチップと、
を含む、歯科用印象材の塗布装置。
【０１５０】
（付記９）
付記１に記載の歯科用印象材ノズルチップを用いて歯に印象材を塗布する、歯科用印象材の塗布方法。
【０１５１】
（付記１０）
印象材導入部と、
前記印象材導入部と連結される印象材吐出部と、
を含み、
前記印象材吐出部は、前記印象材導入部が連結される反対側の末端に拡張型開口が形成され、
前記印象材吐出部の下面は、前記拡張型開口が形成される部分に段差を有するように形成された開放構造を含む、歯科用印象材ノズルチップ。
【０１５２】
（付記１１）
前記印象材吐出部の下面は、前記印象材吐出部の上面に比べて前記拡張型開口から前記印象材導入部の方向に少なくとも一部が切断して開放されたものである、付記１０に記載の歯科用印象材ノズルチップ。
【０１５３】
（付記１２）
前記段差を有するように形成された下面は、前記下面の中央を基準にして中央部は低い段を形成し、両側部は高い段を形成する、付記１０に記載の歯科用印象材ノズルチップ。
【０１５４】
（付記１３）
前記段差を有するように形成された下面の中央部は直線区間を含む、付記１０に記載の歯科用印象材ノズルチップ。
【０１５５】
（付記１４）
前記印象材吐出部は、上面、下面、及び前記上面と前記下面を連結する両側面を含み、左右の幅が高さよりも長い構造である、付記１０に記載の歯科用印象材ノズルチップ。
【０１５６】
（付記１５）
前記拡張型開口の幅は、歯の幅に対応するサイズに形成され、歯上で一回の吐出で少なくとも歯の上面の幅が全て覆われるように印象材が吐出される、付記１０に記載の歯科用印象材ノズルチップ。
【０１５７】
（付記１６）
前記拡張型開口の幅は５ｍｍ〜１３ｍｍであり、前記拡張型開口の高さは４ｍｍ〜５．５ｍｍである、付記１０に記載の歯科用印象材ノズルチップ。
【０１５８】
（付記１７）
前記印象材吐出部の下面の高い段と低い段との間の段差は、１ｍｍ〜２．５ｍｍである、付記１０に記載の歯科用印象材ノズルチップ。
【０１５９】
（付記１８）
前記印象材吐出部は、中央を基準にして対称をなす拡張型構造であり、
前記拡張型開口の断面において、前記印象材吐出部の上面は直線区間を含み、
前記印象材吐出部は、前記印象材導入部を延長して得られる仮想の線から鋭角をなすように曲がって形成されたものである、付記１０に記載の歯科用印象材ノズルチップ。
【０１６０】
（付記１９）
付記１０に記載の歯科用印象材ノズルチップと、
ノズルが含まれた歯科用印象材ミキシングチップと、
を含む、歯科用印象材の塗布装置。
【０１６１】
（付記２０）
付記１０に記載の歯科用印象材ノズルチップを用いて歯に印象材を塗布する、歯科用印象材の塗布方法。
【図１】
2019136496.tif 000003
【図２】
2019136496.tif 000004
【図３】
2019136496.tif 000005
【図４】
2019136496.tif 000006
【図５】
2019136496.tif 000007
【図６】
2019136496.tif 000008
【図７】
2019136496.tif 000009
【図８】
2019136496.tif 000010
【図９】
2019136496.tif 000011
【図１０】
2019136496.tif 000012
【図１１】
2019136496.tif 000013
【図１２】
2019136496.tif 000014